(57)【要約】      （修正有）【課題】通常は衣服として使用しつつ必要に応じバッグに変換することができ、かつ防水性や収納物の落下を確実に防ぐことができる衣服を提供する。【解決手段】衣服１は、バッグに転換可能な筒状の衣服１であって、衣服１の本体２下部における、少なくとも本体２下部全周の半分の領域を、他の領域よりも下方に所定長さ長くした折込部４を設け、折込部４に複数個の第１の留め部材５ｂを所定間隔で設け、他の領域における、第１の留め具５ｂに対応する箇所に第２の留め部材５ａを設け、折込部４を他の領域にかぶせて織り込み、第１の留め部材５ｂと第２の留め部材５ａによって本体２の下部を閉じることによりバッグとして使用できる。【選択図】図３
0003230043.tif 000002
【実用新案登録請求の範囲】
【請求項１】
バッグに転換可能な筒状の衣服であって、
前記衣服の本体下部における、少なくとも前記本体下部全周の半分の領域を、他の領域よりも下方に所定長さ長くした折込部を設け、
前記折込部に複数個の第１の留め部材を所定間隔で設け、
前記他の領域における、前記留め具に対応する箇所に第２の留め部材を設け、
前記折込部を前記他の領域にかぶせて織り込み、前記第１の留め部材と前記第２の留め部材によって前記本体の下部を閉じることによりバッグとして使用可能な
衣服。
【請求項２】
前記領域は前記衣服の左前部と右後部に設けられていることを特徴とする
請求項１に記載の衣服。
【請求項３】
前記領域は前記衣服の前側半分に設けられていることを特徴とする
請求項１に記載の衣服。
【請求項４】
前記第１の留め部材と前記第２の留め部材が並んでいる方向に沿った、横長形状の芯材を設けたことを特徴とする
請求項１から３のいずれか１項に記載の衣服。
【請求項５】
前記衣服の上方に係り部を２か所設けたことを特徴とする
請求項１から４のいずれか１項に記載の衣服。
【請求項６】
前記衣服はベストであることを特徴とする
請求項１から５のいずれか１項に記載の衣服。
【考案の詳細な説明】
【技術分野】
【０００１】  本考案はバッグとして兼用可能な衣服に関する。
【背景技術】
【０００２】  従来より、アウトドアレジャー等による外出時にはベスト等の衣服を着用する場合がある。その一方、アウトドアレジャーには着替え、遊具、食材等必要なものを収納するためのバッグが必須である。これらを別々に持ち運ぶと嵩張ってしまうことになり、また不使用時にはかえって邪魔になってしまう。これらを解決するために種々の考案がなされている。例えば特許文献１には、バッグ本体の底部に開閉可能なファスナーを設け、使用状態ではファスナーを閉めてバッグとし、不使用時にはファスナーを開けて衣服として使用することができるバッグが開示されている。また特許文献２には、筒状体の底部に開閉可能な留め具を設け、留め具を閉めた状態では手提げ袋として使用し、留め具を開いた状態ではビブスとして使用可能なバッグ及び衣服が開示されている。
【先行技術文献】
【特許文献】
【０００３】
【特許文献１】登録実用新案第３２０８４６８公報
【特許文献２】登録実用新案第３２２３１４０号公報
【考案の概要】
【考案が解決しようとする課題】
【０００４】  特許文献１、特許文献２ともに底部にファスナー等の留め具を設け、衣服とバッグの両方の形態をとり得ることは共通している。しかし特許文献１では、バッグ本体底部に単に開閉可能なファスナーを設けているのみであり、単にファスナーで閉めただけでは、防水仕様のファスナーにする等の処理をしなければ液状物を収納した場合に外部に漏れたり、雨水がバッグ内部にしみ込むなどの問題が起きる可能性がある。またファスナーの場合左右両端に隙間が生じ小さな内容物が外へ落ちてしまう可能性もある。また特許文献２の場合も特許文献１と同様の問題は避けられず、また留め具としてボタンを用いた場合は単にボタンを止めただけではボタン間に隙間が生じ、収納物が隙間から落下する可能性がある。【０００５】  本考案は、従来の問題点に鑑みてなされたもので、通常は衣服として使用しつつ必要に応じバッグに変換することができ、かつ防水性を確保しつつ収納物の落下を確実に防ぐことができる衣服を提供することを課題とする。
【課題を解決するための手段】
【０００６】  本考案は、前記課題を解決するために、
バッグに転換可能な筒状の衣服であって、
前記衣服の本体下部における、少なくとも前記本体下部全周の半分の領域を、他の領域よりも下方に所定長さ長くした折込部を設け、
前記折込部に複数個の第１の留め部材を所定間隔で設け、
前記他の領域における、前記留め具に対応する箇所に第２の留め部材を設け、
前記折部を前記他の領域にかぶせて織り込み、前記第１の留め部材と前記第２の留め部材によって前記衣服の下部を閉じることによりバッグとして使用可能な衣服であることを特徴とする。【０００７】  前記領域は前記衣服の左前部と右後部に設けられていることが好ましい。【０００８】  また前記領域は前記衣服の前側半分でもよい。【０００９】  また前記第１の留め部材と前記第２の留め部材が並んでいる方向に沿った、横長形状の芯材を設けてもよい。【００１０】  前記衣服の上方に２つの係り部を設けてもよい。【００１１】  前記衣服はベストであってもよい。
【考案の効果】
【００１２】  本考案によれば、衣服の下部に設けた折部を折り込んで留め部材で留めることにより衣服下方が閉塞され、バッグとして使用することが可能になり他の荷物の持ち運びが容易になる。また折部により折り込まれた箇所が下方を覆うことで収容物の脱落を防ぎ、防水性も確保できる。
【図面の簡単な説明】
【００１３】
【図１】本考案の衣服の衣服状態での（ａ）正面図及び（ｂ）背面図。
【図２】本考案の衣服をその中央で折った状態での（ａ）正面図及び（ｂ）背面図。
【図３】本考案の衣服における、衣服からバッグへの変換過程を示す図。
【考案を実施するための形態】
【００１４】  以下、本考案の実施形態を添付図面に従って説明する。
図１は、本考案における衣服１を示す。この衣服１は、図１（ａ）に示すように、上半身に着用する筒状の本体２と肩に係る係部３からなる。本体２の前部には図１（ｂ）に示すように、向かって左前部２ｂに折込部４ａが設けられており、右前部２ａに比べ下方に約２ｃｍほど長くなっている。また図１（ａ）に示すように、本体２の後部には右後部２ｃに折込部４ｂが設けられており、左後部２ｄに比べ折込部４ａと同様、下方に約２ｃｍほど長くなっている。また、図２（ａ）に示すように右前部２ａと左前部２ｂ、右後部２ｃと左後部２ｄを重ね合わせた状態では折込部４ａと折込部４ｂとで一体の折込部４を形成する。この折込部４には図２（ｂ）に示すように、第１の留め部材であるスナップボタンの雌５ｂが複数個（本実施形態では４個）設けられている。
【００１５】  また図２（ｂ）に示すように本体２の下方には第２の留め部材であるスナップボタンの雄５ａがスナップボタン５ｂに対応する位置に同数個設けられている。スナップボタンの雄５ａとスナップボタン５ｂとで留め具としてのスナップボタンを構成する。なお、スナップボタンの雄５ａとスナップボタンの雌５ｂが並んでいる方向に沿って、横長の芯材１０が設けられている。芯材１０の材質はポリエステル、ナイロン、ポリプロピレン等の樹脂であれば使用可能である。
【００１６】  衣服１の材質は一般にベストで用いられているポリエステル等の樹脂が用いられる。それ以外に防水性の高い樹脂等も使用可能である。
【００１７】  本体２の前部中央には、図１（ｂ）に示すように、開閉可能なファスナー８と、右前部２ａと左前部２ｂ及び右後部２ｃと左後部２ｄに小物等を収納するためのポケット６が設けられている。ポケット６には全て開閉可能なファスナー７が設けられている。
【００１８】  次に、衣服１の使用方法について説明する。
衣服１を衣服として使用するときは、本体２のスナップボタンの雄５ａと折込部４のスナップボタンの雌５ｂを外し、図１（ａ）に示した状態でファスナー８を開いてから係部３に両肩を通し、再びファスナー８を閉じる。これによりアウトドア等での作業時等に衣服１を衣服として使用することができる。
【００１９】  一方、衣服１をバッグとして使用するときは、図３（ａ）に示すように衣服１を前部と後部の中央で折り、右前部２ａと左前部２ｂ、右後部２ｃと左後部２ｄを重ね合わせる。その後、折込部４を図３（ａ）に矢印で示すように手前に折り込んでから、図３（ｂ）に示すように、スナップボタンの雄５ａとスナップボタンの雌５ｂとを留めて下方を閉塞する。これにより衣服１に底部９ができ、バッグとして食品や他の旅行用品等を収容することができる。またスナップボタンの雄５ａとスナップボタンの５ｂの一部をできるだけ本体２と折込部４の両端部に設けておけば、バッグとして使用する際に底部９に隙間が生じず、内容物が落下したりすることなく、防水性も確保することができる。さらに芯材１０により衣服１自体が柔らかく腰がなくても底部９が腰折れすることがなく、スナップボタン間に隙間が生じずより確実に底部９を閉鎖することができる。
【００２０】  また、バッグとして使用する際には係部３は肩に掛けることができ、ショルダーバッグとして使用することもできる。
【００２０】  なお、本考案は上記の実施形態に限定されることなく、請求項に記載された範囲内において目的に応じて変更・変形することが可能である。例えば折込部４は右前部２ａと右後部２ｃに設けてもよいし、右前部２ａと左前部２ｂに設けてもよい。右前部２ａと左前部２ｂに設けた場合は、係部３は手で提げることになるが、本体２を中央でいったん折るという作業が不要であり、バッグとしての機能も果たすことができる。またスナップボタンの雄５ａとスナップボタン５ｂの数は衣服の大きさや形状等に応じ適宜変更してもよい。またスナップボタンの雄５ａ．スナップボタンの雌５ｂの代わりに面ファスナーを用いてもよい。さらにポケット６の代わりに巾着を取り付けてもよい。
【符号の説明】    １…衣服
２…本体
３…係部
４…折込部
５ａ…スナップボタンの雄
５ｂ…スナップボタンの雌
６…ポケット
７…ファスナー
８…ファスナー
９…底部
１０…芯材
【図１】
0003230043.tif 000003
【図２】
0003230043.tif 000004
【図３】
0003230043.tif 000005
【手続補正書】
【提出日】令和2年10月5日(2020.10.5)
【手続補正１】
【補正対象書類名】実用新案登録請求の範囲
【補正対象項目名】全文
【補正方法】変更
【補正の内容】
【実用新案登録請求の範囲】
【請求項１】
バッグに転換可能な筒状の衣服であって、
前記衣服の本体下部における、少なくとも前記本体下部全周の半分の領域を、他の領域よりも下方に所定長さ長くした折込部を設け、
前記折込部に複数個の第１の留め部材を所定間隔で設け、
前記他の領域における、前記第１の留め部材に対応する箇所に第２の留め部材を設け、
前記折込部を前記他の領域にかぶせて折り込み、前記第１の留め部材と前記第２の留め部材によって前記本体の下部を閉じることによりバッグとして使用可能な
衣服。
【請求項２】
前記半分の領域は前記衣服の左前部と右後部であることを特徴とする
請求項１に記載の衣服。
【請求項３】
前記半分の領域は前記衣服の前側半分であることを特徴とする
請求項１に記載の衣服。
【請求項４】
前記第１の留め部材と前記第２の留め部材が並んでいる方向に沿った、横長形状の芯材を設けたことを特徴とする
請求項１から３のいずれか１項に記載の衣服。
【請求項５】
前記衣服の上方に係り部を２か所設けたことを特徴とする
請求項１から４のいずれか１項に記載の衣服。
【請求項６】
前記衣服はベストであることを特徴とする
請求項１から５のいずれか１項に記載の衣服。